(57)【要約】【課題】ある電話番号へ発信した後、次に発信する電話番号が毎回決まっている場合に、電話帳や履歴を検索または直接入力して発信するという操作をすることなく、簡単な操作で次に発信したい電話番号へ発信することができる電話装置を提供することにある。【解決手段】電話装置１は、発信して通話となった場合、終話時に発信した電話番号を所定の時間の間、一時保存発信先電話番号として一時保存発信先記憶部１１０に記憶し、所定の時間内に発信した電話番号を、前記一時保存発信先電話番号の次発信先電話番号として、連続発信先記憶部１０９に前記一時保存発信先電話番号と対応付けて記憶する。電話装置１は、前記一時保存発信先電話番号へ発信して通話を終えた後、所定の時間内にオフフック操作をされると、表示部１０２に前記次発信先電話番号を表示する。【選択図】図１
2018186463.tif 000002
【特許請求の範囲】
【請求項１】
所定の電話番号へ発信した後、次の発信先電話番号の候補を表示する電話装置であって、
第１の発信先電話番号へ電話発信し、当該発信呼が切断された後の予め定められた所定時間が経過する以前に、前記第１の発信先電話番号とは異なる第２の発信先電話番号へ電話発信した場合に、前記第１の発信先電話番号と前記第２の発信先電話番号を対応付けて記憶する連続発信先記憶手段を有し、
前記連続発信先記憶手段は、前記第１の発信先電話番号と前記第２の発信先電話番号の組を１以上記憶しており、発信操作が為される毎に、当該発信操作が指定する発信先電話番号へ発信すると共に、当該発信先電話番号が前記連続発信先記憶手段に記憶されているいずれかの第１の発信先電話番号と一致するか否かを判定し、一致すると判定した場合に、前記一致した第１の発信先電話番号に対応する第２の発信先電話番号に係る情報を次発信先候補として自装置が備える表示部に表示することを特徴とする次発信先候補表示機能を有する電話装置。
【請求項２】
請求項１に記載の電話装置において、
第１の発信先電話番号へ電話発信し、当該発信呼が切断された後の予め定められた所定時間が経過する以前に、前記第１の発信先電話番号とは異なる第２の発信先電話番号へ電話発信した場合に、前記第２の発信先電話番号を前記第１の発信先電話番号と対応付けて記憶するか否か問う旨のメッセージを前記表示部に表示し、記憶する旨の所定の操作が為されたならば、前記第１の発信先電話番号と前記第２の発信先電話番号を対応付けて前記連続発信先記憶手段に記憶することを特徴とする次発信先候補表示機能を有する電話装置。
【請求項３】
請求項１に記載の電話装置において、
前記第１の発信先電話番号または前記第２の発信先電話番号として前記連続発信先記憶手段に記憶することを許可する電話番号を登録する記憶許可番号登録手段をさらに有し、
前記第１の発信先電話番号へ電話発信し、当該発信呼が切断された後の予め定められた所定時間が経過する以前に、前記第１の発信先電話番号とは異なる第２の発信先電話番号へ電話発信した場合に、前記第１の発信先電話番号または前記第２の発信先電話番号が前記記憶許可番号登録手段に登録された電話番号のいずれかと一致したならば、前記連続発信先記憶手段は、前記第１の発信先電話番号と前記第２の発信先電話番号を対応付けて記憶することを特徴とする次発信先候補表示機能を有する電話装置。
【請求項４】
請求項１〜３のいずれかに記載の電話装置において、
前記連続発信先記憶手段は、発信日時と対応付けて、前記第１の発信先電話番号と前記第２の発信先電話番号の組を複数記憶しており、発信操作が為される毎に、当該発信操作が指定する発信先電話番号へ発信すると共に、前記発信先電話番号が前記連続発信先記憶手段に記憶されているいずれかの第１の発信先電話番号と一致するか否かを判定し、前記第１の発信先電話番号に対応する第２の発信先電話番号が複数存在すると判定した場合に、前記第１の発信先電話番号に対応する第２の発信先電話番号の全て、または発信日時もしくは頻度に係る予め定められた条件に一致する第２の発信先電話番号、に係る情報を次発信先候補として前記表示部に表示することを特徴とする次発信先候補表示機能を有する電話装置。
【請求項５】
請求項１〜４のいずれかに記載の電話装置において、
次発信先候補としていずれかの前記第２の発信先電話番号に係る情報が前記表示部に表示されている状態で、予め定められた特定操作が為された場合に、いずれかの前記第２の発信先電話番号への発信を実行することを特徴とする次発信先候補表示機能を有する電話装置。
【発明の詳細な説明】
【技術分野】
【０００１】
本発明は、電話装置の発信機能に関し、特に終話後、一定時間内に新たに発信するまたは発信に対して相手が不応答であった場合に別の相手へ発信する際の技術に関する。
【背景技術】
【０００２】
とある電話番号へ発信し通話後に予め決まった別の電話番号に発信する、または発信時相手未応答で予め決まった別電話番号へ発信する場合がある。
【０００３】
例えば妻が、夫の携帯電話へ発信するが、不応答なので他の家族（例えば祖母）の携帯電話に発信するといった最初に発信した発信先に関連付けられた別の発信先に発信するパターンが考えられる。従来、最初に発信した発信先に関連付けられた別の発信先を探す際、毎回電話帳や発信履歴などから電話番号を検索して発信または直接入力して発信しなければならず煩わしかった。
【０００４】
これを解決する技術として、例えば特許文献１には、予め一つの連絡先に複数の電話番号を登録しておき、所定の電話番号へ発信・相手不応答の場合、登録されている別の電話番号へ相手が応答するまで、順次発信する技術（順次転送と呼ぶ場合もある）が記載されている。
【０００５】
しかしながら、特許文献１の技術は、予め複数の電話番号を事前登録しておかなければならず、煩雑である。また、順次発信する際の発信順についても考慮されていない。
【先行技術文献】
【特許文献】
【０００６】
【特許文献１】特開２００６−２１１６７２号公報
【発明の概要】
【発明が解決しようとする課題】
【０００７】
本発明は上記問題を鑑みてなされたものであり、その課題は、順次発信する際の電話番号を事前に登録せず、かつ簡単な操作で次に発信したい相手へ発信することができる電話装置を提供することにある。
【課題を解決するための手段】
【０００８】
上記課題を解決するため、本発明は、所定の電話番号へ発信した後、次の発信先電話番号の候補を表示する電話装置であって、第１の発信先電話番号へ電話発信し、当該発信呼が切断された後の予め定められた所定時間が経過する以前に、前記第１の発信先電話番号とは異なる第２の発信先電話番号へ電話発信した場合に、前記第１の発信先電話番号と前記第２の発信先電話番号を対応付けて記憶する連続発信先記憶手段を有し、前記連続発信先記憶手段は、前記第１の発信先電話番号と前記第２の発信先電話番号の組を１以上記憶しており、発信操作が為される毎に、当該発信操作が指定する発信先電話番号へ発信すると共に、当該発信先電話番号が前記連続発信先記憶手段に記憶されているいずれかの第１の発信先電話番号と一致するか否かを判定し、一致すると判定した場合に、前記一致した第１の発信先電話番号に対応する第２の発信先電話番号に係る情報を次発信先候補として自装置が備える表示部に表示することを特徴とする。
【発明の効果】
【０００９】
本発明の電話装置によれば、所定の相手へ発信後、呼が切断された後に次の発信先の候補を表示し、オフフックすることで発信する。これにより発信者は、予め定まった相手へ順次発信する場合、発信する毎に電話帳や発信履歴から電話番号を検索する必要がなくなる。
【図面の簡単な説明】
【００１０】
【図１】図１は、本発明の電話装置１の機能ブロック図である。
【図２】図２は、電話装置１の連続発信先記憶部に記憶された次発信先テーブルを模式的に表した図である。
【図３】図３は、電話装置１の動作フローチャートである。
【発明を実施するための形態】
【００１１】
以下、本発明の実施形態について図面を用いながら説明する。
【００１２】
図１は、本発明の電話装置１の機能ブロック図である。電話装置１は、操作部１０１と、表示部１０２と、音声入出力部１０３と、端末制御部１０４と、呼制御部１０５と、インターフェース部１０６と、発信／終話判定部１０７と、タイマ部１０８、連続発信先記憶部１０９と、一時保存発信先記憶部１１０と、一時保存次発信先記憶部１１１と、から構成される。
【００１３】
操作部１０１は、ダイヤルキーやフックスイッチ等、電話機における入力インターフェースである。
【００１４】
表示部１０２は、ＬＥＤ（Ｌｉｇｈｔ  Ｅｍｉｔｔｉｎｇ  Ｄｉｏｄｅ）やＬＣＤ（Ｌｉｑｕｉｄ  Ｃｒｙｓｔａｌ  Ｄｉｓｐｌａｙ）等の表示機能を有し、端末制御部１０４からの指示に応じて表示する。
【００１５】
音声入出力部１０３は、マイクとスピーカから構成されるハンドセットである。
【００１６】
端末制御部１０４は、電話装置１の端末に係る制御全般を処理する。
【００１７】
呼制御部１０５は、電話装置１の発着信（発信操作を受付けるまたは呼接続要求を受信する等）に係る処理全般を制御する。
【００１８】
インターフェース部１０６は、公衆網と接続するための接続インターフェースである。
【００１９】
発信／終話判定部１０７は、端末制御部１０４を監視し、端末制御部１０４が操作部１０１からオフフック操作を受付けるのを待つ。端末制御部１０４が操作部１０１からオフフック操作を受付けたことを検知すると、発信／終話判定部１０７は、一時保存発信先記憶部１１０に記憶されている電話番号（以下、一時保存発信先電話番号とする）と、連続発信先記憶部１０９に記憶されている、後述する次発信先テーブル１０９０の発信先フィールド１０９１に記憶されている電話番号（以下、発信先電話番号とする）との比較を行う。
【００２０】
そして、一時保存発信先電話番号と一致する発信先電話番号が記憶されているレコードがあれば、発信／終話判定部１０７は、当該レコードに対応した次発信先フィールド１０９４に記憶されている電話番号（以下、次発信先電話番号とする）の表示を端末制御部１０４へ要求し、端末制御部１０４が操作部１０１からキー操作を受付けるのを待つ。
【００２１】
このとき、発信／終話判定部１０７は、端末制御部１０４が表示中の次発信先電話番号を選択するキー操作を受け付けると、選択された次発信先電話番号への発信を呼制御部１０５へ要求する。
【００２２】
一致する発信先電話番号が記憶されているレコードがない、または一時保存発信先記憶部１１０に一時保存発信先電話番号が記憶されていなければ、発信／終話判定部１０７は、端末制御部１０４が操作部１０１からキー操作を受付けるのを待つ。
【００２３】
このとき、発信／終話判定部１０７は、端末制御部１０４が操作部１０１からキー操作を受付けたことを検知すると、検知したキー情報を電話番号として呼制御部１０５へ発信を要求する。
【００２４】
また、発信／終話判定部１０７は、呼制御部１０５へ発信を要求した際の電話番号を一時保存次発信先記憶部１１１に記憶する。
【００２５】
そして、発信／終話判定部１０７は、端末制御部１０４へ次発信先電話番号の表示の停止を要求する。
【００２６】
さらに、発信／終話判定部１０７は、タイマ部１０８へ、終話または発信放棄から一定時間内に発信するのを待つタイマ（以下、次発信待ちタイマとする）が起動中か否か問い合わせを行う。
【００２７】
次発信待ちタイマが起動中であれば、発信／終話判定部１０７は、一時保存発信先電話番号と次発信先テーブル１０９０に記憶されている発信先電話番号との比較を行う。
【００２８】
ここで、発信／終話判定部１０７による次発信先テーブル１０９０の制御について、図２を用いて説明する。
【００２９】
図２は、電話装置１の連続発信先記憶部１０９に記憶された次発信先テーブル１０９０を模式的に表した図である。
【００３０】
図示するように、次発信先テーブル１０９０は、発信／終話判定部１０７から通知された一時保存発信先電話番号を記憶する発信先フィールド１０９１と、１０９１に対応し、発信先電話番号に発信した日時を記憶する発信日時フィールド１０９２と、１０９１に対応した次発信先電話番号の表示順番を表し、予め１〜５が記憶されている表示順番フィールド１０９３と、１０９１に対応づけられて記憶され、発信／終話判定部１０７から通知された次発信先電話番号を記憶する次発信先フィールド１０９４と、１０９４に対応し、次発信先電話番号を記憶した日時を記憶する次発信日時フィールド１０９５から構成される。
【００３１】
発信／終話判定部１０７は、次発信待ちタイマが起動中に発信すると、発信先テーブル１０９０の発信先フィールド１０９１を検索する。
【００３２】
そして、一時保存発信先電話番号と一致する発信先電話番号が記憶されているレコードがあれば、発信／終話判定部１０７は、当該レコードに対応する発信日時フィールド１０９２に現在時刻を記憶する。
【００３３】
一時保存発信先電話番号と一致する発信先電話番号が記憶されているレコードがなければ、発信／終話判定部１０７は、新しいレコードを追加し、当該レコードの発信先フィールド１０９１に当該一時保存発信先電話番号を、対応する発信日時フィールド１０９２に現在時刻を記憶する。
【００３４】
また、発信／終話判定部１０７は、一時保存発信先電話番号を記憶したレコードに対応する次発信先フィールド１０９４を検索する。
【００３５】
そして、一時保存次発信先記憶部１１１に記憶されている電話番号（以下、一時保存次発信先電話番号とする）と一致する次発信先電話番号が記憶されているレコードがあれば、発信／終話判定部１０７は、当該レコードに対応する次発信日時フィールド１０９５に現在時刻を記憶する。
【００３６】
一時保存次発信先電話番号と一致する次発信先電話番号が記憶されているレコードがなければ、発信／終話判定部１０７は、次発信先日時フィールド１０９５の一番老番のレコード値を削除し、削除したレコードに現在時刻を記憶し、対応する次発信先フィールド１０９４に一時保存次発信先電話番号を記憶する。図１の説明に戻る。
【００３７】
発信／終話判定部１０７は、次発信先テーブル１０９０の制御を終えると、呼制御部１０５へ応答を要求し、電話装置１は通話中となる。
【００３８】
発信／終話判定部１０７は、電話装置１が通話中にオンフックや相手切断等で終話すると、一時保存次発信先電話番号を一時保存発信先記憶部１１０に記憶する。
【００３９】
また、発信／終話判定部１０７は、一時保存次発信先記憶部１１１に記憶されている一時保存次発信先電話番号を削除する。
【００４０】
タイマ部１０８は、発信／終話判定部１０７から次発信待ちタイマの起動要求を受けて次発信待ちタイマを起動する。
【００４１】
また、タイマ部１０８は、次発信待ちタイマがタイムアウトすると、発信／終話判定部１０７へ次発信待ちタイマのタイムアウトを通知する。
【００４２】
連続発信先記憶部１０９は、次発信先テーブル１０９０を記憶する記憶部である。
【００４３】
前述のとおり、連続発信先記憶部１０９では、発信／終話判定部１０７の動作によって、一時保存発信先記憶部１１０に記憶されている一時保存発信先電話番号と、一時保存次発信先記憶部１１１に記憶されている一時保存次発信先電話番号を、それぞれ次発信先テーブル１０９０の発信先フィールド１０９１、次発信先フィールド１０９４に記憶する。
【００４４】
一時保存発信先記憶部１１０は、一時保存発信先電話番号を記憶する記憶部である。
【００４５】
前述のとおり、一時保存発信先記憶部１１０では、発信／終話判定部１０７の動作によって一時保存発信先電話番号を記憶または削除する。
【００４６】
一時保存次発信先記憶部１１１は、一時保存次発信先電話番号を記憶する記憶部である。
【００４７】
前述のとおり、一時保存次発信先記憶部１１１では、発信／終話判定部１０７の動作によって一時保存次発信先電話番号を記憶または削除する。
【００４８】
図３は、電話装置１の動作フローチャート図である。本フローは、電話装置１の電源が投入され、発着信を検出可能な状態から開始される。
【００４９】
まず、電話装置１は、ユーザによるオフフック操作有りか（Ｓ２０１）、公衆網からの呼接続要求を受信したか（Ｓ２０２）、次発信待ちタイマがタイムアウトしたか（Ｓ２２３）、の何れかの状態になるのを待つ。
【００５０】
公衆網からの呼接続要求を受信した場合（Ｓ２０２、ＹＥＳ）、電話装置１は着信処理・通話・終話処理（通常の着信通話）を行う（Ｓ２０３）。そして、電話装置１は、ステップ２２３に移行する。
【００５１】
次発信待ちタイマのタイムアウトを検知した場合（Ｓ２２３、ＹＥＳ）、電話装置１は一時保存発信先記憶部１１０（以下、図３の説明では“一時保存発信先”とする）にセットされた一時保存発信先電話番号をクリアする（Ｓ２２４）。そして、電話装置１は、ステップ２０１に移行する。
【００５２】
オフフック操作有りの場合（Ｓ２０１、ＹＥＳ）、電話装置１は“一時保存発信先”に一時保存発信先電話番号がセットされているか参照する（Ｓ２０４）。
【００５３】
“一時保存発信先”に一時保存発信先電話番号がセットされていない場合（Ｓ２０４、ＮＯ）、ステップ２０８へ進む。
【００５４】
“一時保存発信先”に一時保存発信先電話番号がセットされていれば（Ｓ２０４、ＹＥＳ）、次発信先テーブル１０９０の発信先フィールド１０９１（以下、図３の説明では“発信先”とする）を参照する。
【００５５】
参照した“発信先”に一時保存発信先電話番号と一致する電話番号がセットされているレコードがなければ（Ｓ２０５、ＮＯ）、ステップ２０８へ進む。
【００５６】
参照した“発信先”に一時保存発信先電話番号と一致する電話番号がセットされているレコードがあれば（Ｓ２０５、ＹＥＳ）、当該レコードに対応する次発信先フィールド１０９４（以下、図３の説明では“次発信先”とする）を参照する。
【００５７】
参照した”次発信先”に次発信先電話番号が記憶されているレコードがなければ（Ｓ２０６、ＮＯ）、ステップ２０８へ進む。
【００５８】
参照した”次発信先”に次発信先電話番号が記憶されているレコードがあれば（Ｓ２０６、ＹＥＳ）、当該レコードに対応する”次発信先”に記憶されているすべての次発信先電話番号を、対応する次発信日時フィールド１０９５（以下、図３の説明では“次発信日時”とする）の現在時刻に近い順に表示し（Ｓ２０７）、ステップ２０８へ進む。
【００５９】
そして、電話装置１は、電話番号の入力操作が有りか（Ｓ２０８）、表示中の次発信先電話番号を選択する操作が有りか（Ｓ２０９）、オンフック操作が有りか（Ｓ２１０）、のいずれかになるのを待つ。
【００６０】
オンフック操作が有れば（Ｓ２１０、ＹＥＳ）、電話装置１は、ステップ２０１へ進む。
【００６１】
電話番号の入力操作が有れば（Ｓ２０８、ＹＥＳ）、入力された電話番号へ発信処理を行い（Ｓ２１１）、ステップ２１３へ進む。
【００６２】
表示中の次発信先電話番号を選択する操作が有れば（Ｓ２０９、ＹＥＳ）、選択された次発信先電話番号へ発信処理を行い（Ｓ２１２）、ステップ２１３へ進む。
【００６３】
そして、電話装置１は、発信した電話番号を一時保存次発信先記憶部１１１（以下、図３の説明では“一時保存次発信先”とする）にセットする（Ｓ２１３）。
【００６４】
そして、電話装置１は、次発信先電話番号の表示を停止する（Ｓ２１４）。
【００６５】
そして、電話装置１は、次発信待ちタイマが起動中でなければ（Ｓ２１５、ＮＯ）、応答通話処理・終話処理／オンフック・切断処理（Ｓ２１６）を行う。
【００６６】
そして、電話装置１は、終話すると一時保存次発信先電話番号を“一時保存発信先”にセットし（Ｓ２１７）、一時保存次発信先電話番号をクリアする（Ｓ２１８）。
【００６７】
そして、電話装置１は、次発信待ちタイマのセット・スタートを行い（Ｓ２１９）、ステップ２０１に戻る。
【００６８】
次発信待ちタイマが起動中であれば（Ｓ２１５、ＹＥＳ）、電話装置１は、次発信先テーブル１０９０の“発信先”を参照する。
【００６９】
参照した“発信先”に一時保存発信先電話番号と一致する電話番号がセットされているレコードがなければ（Ｓ２２０、ＮＯ）、新たにレコードを追加して、当該レコードの”発信先“に一時保存発信先電話番号を、対応する発信日時フィールド１０９２（以下、図３の説明では“発信日時”とする）に現在時刻を記憶し（Ｓ２２１）、ステップ２１６へ進む。
【００７０】
参照した“発信先”に一時保存発信先電話番号と一致する電話番号がセットされているレコードがあれば（Ｓ２２０、ＹＥＳ）、当該レコードの“発信日時”に現在時刻を記憶する（Ｓ２２２）。
【００７１】
そして、電話装置１は、一時保存発信先電話番号と一致する電話番号がセットされているレコードに対応する“次発信先”を参照する。
【００７２】
参照した“次発信先”に次発信先電話番号が記憶されているレコードがなければ（Ｓ２２３、ＮＯ）、当該レコードに対応する“次発信日時”の一番老番のレコードにセットされている日時と、対応づけて記憶している次発信先電話番号を消去し、消去したレコードに現在時刻と、一時保存発信先電話番号を記憶し（Ｓ２２４）、ステップ２１６へ進む。
【００７３】
参照した“次発信先”に次発信先が記憶されているレコードがあれば（Ｓ２２３、ＹＥＳ）、次発信先電話番号が記憶されているレコードの“次発信日時”に現在時刻を記憶し（Ｓ２２５）、ステップ２１６へ進む。
【００７４】
以上、本発明の実施形態について説明した。
【００７５】
本発明の実施形態では、電話装置１は、前回の発信から一定時間内にオフフック操作をされると、前回の発信先電話番号に対応した次発信先電話番号を表示部１０２に表示する。これにより、電話装置１のユーザはある電話番号へ発信した後、決まって発信する別の電話番号がある場合に、電話帳や発信履歴などを検索操作や電話番号を直接入力することなく、次に発信する電話番号を特定することができる。
【００７６】
また、本発明の実施形態では、電話装置１は、前回の発信から一定時間内に発信操作をされると、発信先の電話番号を前回の発信先電話番号の次発信先電話番号として記憶するか否かを問う旨のメッセージを表示部１０２に表示し、記憶する旨の所定の操作をされると、前回の発信先電話番号に対応する次発信先電話番号として記憶する。これにより、例えば、妻が夫の携帯電話に発信した後、普段は子供の携帯電話に発信するが、たまたま会社の電話番号へ発信した場合、会社の電話番号は次発信先として表示させたくない、といったように電話装置１のユーザの判断によって次発信先として表示させないようにすることが出来る。
【００７７】
また、本発明の実施形態では、電話装置１は、前回の発信から一定時間内に発信操作をされたとき、発信先の電話番号または前回の発信先電話番号が記憶することを許可する設定がされていれば、発信先の電話番号が前回の発信先電話番号に対応する次発信先電話番号として記憶する。これにより、例えば、家族の携帯電話の電話番号だけ記憶するように設定しておけば、妻が夫の携帯電話に発信した後、普段は子供の携帯電話に発信するが、たまたま会社の電話番号へ発信した場合には、自動的に会社の電話番号は次発信先として記憶されないため、電話装置１のユーザは次発信先を表示させる機能を家族に発信するときにだけ使用することができる。
【００７８】
また、本発明の実施形態では、電話装置１は、前回の発信から一定時間内にオフフック操作をされると、前回の発信先電話番号に対応した複数の次発信先電話番号を発信日時が現在時刻に近い順に表示部１０２に表示する。これにより、電話装置１のユーザはある電話番号へ発信した後、決まって発信する別の電話番号が複数ある場合に、電話帳や発信履歴などを検索操作や電話番号を直接入力することなく、次に発信する電話番号を特定することができる。
【００７９】
また、本発明の実施形態では、電話装置１は、表示中の次発信先を選択する操作をされると、次発信先電話番号へ発信する。これにより、電話装置１のユーザはある電話番号へ発信した後、決まって発信する別の電話番号がある場合に、電話帳や発信履歴などを検索操作や電話番号を直接入力することなく、簡単な操作で発信することができる。
【００８０】
また、本発明の実施形態では、電話装置１は、前回の発信から一定時間内にオフフック操作をされると、前回の発信先電話番号に対応した次発信先電話番号を表示部１０２に表示する。これにより、例えば、夫の携帯電話に発信したときに、応答しないときは家の電話に、応答したときは子供の携帯電話に発信する、といったように、発信に応答したかしないかで次発信先が変わる場合でも、電話装置１のユーザは状況に合わせた次発信先を特定することができる。
【００８１】
尚、本発明を実施する形態では、次発信先の日時順に電話装置１の画面に表示する例で説明しているが、本願はこれに限定されない。例えば、次発信先電話番号が選択された回数をカウントすることで、選択された頻度が多い順に電話装置１の画面に表示するようにしても良い。これにより、オフフックなどの発信操作が為されたときに、前回の発信または通話後によく発信している電話番号が一番上に表示されるため、簡単な操作で次発信先電話番号へ発信することができる。
【００８２】
尚、本発明を実施する形態では、発信先へ電話発信し、当該発信呼が切断された後の予め定められた所定時間が経過する以前に、前記発信先とは異なる次発信先へ電話発信した場合に、前記次発信先を前記発信先と対応付けて記憶するか否か問う旨のメッセージを前記表示部に表示し、記憶する旨の所定の操作が為されたならば、前記次発信先を前記発信先の次発信先電話番号として記憶するようにしても良い。これにより、普段とは違う次発信先へ発信した場合など、使用者が記憶する必要がないと判断した場合に記憶しないようにすることができる。
【００８３】
尚、本発明を実施する形態では、記憶することを許可する電話番号を登録する手段を有し、前記発信先へ電話発信し、当該発信呼が切断された後の予め定められた所定時間が経過する以前に、前記発信先とは異なる次発信先へ電話発信した場合に、前記発信先または前記次発信先が記憶することを許可された電話番号のいずれかと一致したならば、前記連続発信先記憶手段は、前記発信先と前記次発信先を対応付けて記憶するようにしても良い。これにより、あらかじめ使用者が次発信先表示機能を使いたいと思う、特定の電話番号でのみ次発信先を表示させることができる。
【００８４】
尚、本発明を実施する形態では、発信先へ電話発信し、当該発信呼が切断された場合、当該電話発信によって通話が確立して切断されたか、または通話を確立せずに切断されたか（あるいは通話が確立され所定期間内に切断されたか）を判定し、判定結果に応じた次発信先を電話装置１に表示させるようにしても良い。これにより、切断状況に応じた次発信先を表示できるため、通話をしてから次に発信する電話番号と、発信先が応答しなかった場合に次に発信する電話番号が違うといった場合にも対応することができる。
【００８５】
尚、本発明を実施する形態では、電話装置１を公衆網に接続する単独電話機として説明したが、本願はこれに限定しない。例えば、電話装置１は携帯電話機であっても良いし、主装置に接続する内線電話機であっても良い。これにより、本発明の機能を携帯電話機や主訴追に接続する内線電話機にも適用することができる。
【符号の説明】
【００８６】
１・・・電話装置
１０１・・・操作部
１０２・・・表示部
１０３・・・音声入出力部
１０４・・・端末制御部
１０５・・・呼制御部
１０６・・・インターフェース部
１０７・・・発信／終話判定部
１０８・・・タイマ部
１０９・・・連続発信先記憶部
１１０・・・一時保存発信先記憶部
１１１・・・一時保存次発信先記憶部
【図１】
2018186463.tif 000003
【図２】
2018186463.tif 000004
【図３】
2018186463.tif 000005